(57)【要約】【課題】ロープ等を支持軸に係止することにより、確実にロープ等を張って使用できると共に、ワンタッチでロープ止め具を緩める方向に移動でき、瞬時にロープ等を取り外すことができるロープ止め具を提供する。【解決手段】ロープ等を挿入する係止孔と挿通孔を穿設してなる止め具本体に、ロープ等を係止する支持軸を突設してなることを特徴とする。【選択図】　図１
2004132534.tif 000002
【特許請求の範囲】
【請求項１】
ロープ等を挿入する係止孔と挿通孔を穿設してなる止め具本体に、ロープ等を係止する支持軸を突設してなることを特徴とするロープ止め具。
【請求項２】
支持軸が、雄ネジ体であることを特徴とする請求項１記載のロープ止め具。
【請求項３】
支持軸に、回転体を設けてなることを特徴とする請求項１又は２記載のロープ止め具。
【請求項４】
ロープ等を固定する固定部を、支持軸に設けてなることを特徴とする請求項１、２又は３記載のロープ止め具。
【請求項５】
ロープ等を固定する固定部を、回転体に設けてなることを特徴とする請求項１、２又は３記載のロープ止め具。
【請求項６】
支持軸の軸心を、係止孔あるいは挿通孔の軸心より上方に位置させてなることを特徴とする請求項１、２、３、４又は５記載のロープ止め具。
【請求項７】
支持軸の軸心を、係止孔あるいは挿通孔の軸心より下方に位置させてなることを特徴とする請求項１、２、３、４又は５記載のロープ止め具。
【請求項８】
支持軸の軸心と、係止孔あるいは挿通孔の軸心を、平面垂直に形成してなることを特徴とする請求項１、２、３、４、５、６又は７記載のロープ止め具。
【発明の詳細な説明】
【０００１】
【発明の属する技術分野】
本発明は、ロープ等を所要の張りで係止すると共に、ワンタッチでロープ等を緩めることのできるロープ止め具に関するものである。
【０００２】
【従来の技術】
従来の技術として種々の形態のものが開発されているが、緊張することを主眼としたものが多く見られる。
つまり、取り外す場合、ロープ等を緩めるための作業に手間が掛るものが多い。
また、構造が複雑なため繰り返し使用した場合、壊れ易く、耐久性に問題がある。
【０００３】
【発明が解決しようとする課題】
本発明は、上記の種々の問題点に鑑みなされたもので、その目的は、ロープ等を支持軸に係止することにより、確実にロープ等を張って使用できると共に、ワンタッチでロープ止め具を緩める方向に移動でき、瞬時にロープ等を取り外すことができるロープ止め具を提供するものである。
【０００４】
【課題を解決するための手段】
課題を解決するための手段として、ロープ等を挿入する係止孔と挿通孔を穿設してなる止め具本体に、ロープ等を係止する支持軸を突設してなること。また、支持軸が、雄ネジ体であること。支持軸に、回転体を設けてなること。さらに、ロープ等を固定する固定部を、支持軸に設けてなること。ロープ等を固定する固定部を、回転体に設けてなること。さらにまた、支持軸の軸心を、係止孔あるいは挿通孔の軸心より上方に位置させてなること。支持軸の軸心を、係止孔あるいは挿通孔の軸心より下方に位置させてなること。その上、支持軸の軸心と、係止孔あるいは挿通孔の軸心を、平面垂直に形成してなることを特徴とする。
【０００５】
【発明の実施の形態】
ロープ止め具１は、ロープ等を挿入する係止孔２ａと挿通孔２ｂを穿設してなる円柱状の止め具本体２に、ロープ等を係止すべく、側面前方に雄ネジ体（六角ボルト等）による支持軸３を突設してなるもので、支持軸３の軸心Ｇを、係止孔２ａあるいは挿通孔２ｂの軸心Ｇ１より下方に位置させると共に、平面垂直に形成してなるものである。
【０００６】
上記ロープ止め具１の使用例を下記に説明する。
ロープ止め具１の係止孔２ａに、ロープＲの先端部を挿入し、貫通した後に抜け防止のため結び目Ｍを作る。
つづいて、ロープＲの後端部を挿通孔２ｂに挿入し、引き出す。
この状態で、ロープＲの一方はループ状Ｒ１に形成され、他方は直線状Ｔになっている。
【０００７】
上記のように形成したロープ止め具１を使用する場合、例えばループ状Ｒ１を車Ｋの荷台ＮのフックＦに引っ掛け、ループ状Ｒ１の後端部ＫＴを下方より支持軸３に係止させる。
その後、ロープＲの直線状Ｔの端部を荷物ＮＭを介して、反対側のフックＦ１に緊張しながら結び付ける。
【０００８】
つぎに、車Ｋを所要の場所に移動させ、荷物ＮＭを降ろす時、ロープ止め具１の止め具本体２を持ち、下方に摩らす（移動させる）ことでループ状Ｒ１の後端部ＫＴが支持軸３をすべって挿通孔２ｂに入り込み、ループ状Ｒ１を小さくすることができる。
つまり、ロープＲ全体が緩み、フックＦ・Ｆ１からロープＲを容易に取り外すことができる。
また、別の使用例として、船ＦＮの舵取り帆ＫＨの支柱Ｓの先端にロープ止め具１のロープＲのループ状Ｒ１を引っ掛け、直線状Ｔの先端部を舵取り場ＫＢの先端に取り付けて使用することができる。
この場合、風等によるロープＲのたわみにもロープ止め具１が対応し、緩むことなく使用できるものである。
【０００９】
つぎに、第２実施例のロープ止め具を説明する。
ロープ止め具２１は、支持軸２３を蝶ネジ形態とし、押え面による固定部２３ａを設けてなるものである。
【００１０】
このロープ止め具２１は、固定部２３ａをロープＲａに押し付け、止め具本体２２と挟持することによりロープＲａを確実に固定することができる。
【００１１】
つぎに、第３実施例のロープ止め具を説明する。
ロープ止め具３１は、止め具本体３２の先端部側面に切欠部３２ａを設け、六角ボルトによる支持軸３３に円筒状の回転体４を設けてなるものである。
【００１２】
このロープ止め具３１は、特にロープＲｂを緩める場合、ロープＲｂが回転体４を回転させることによりスムーズに止め具本体３２を移動させることができる。
【００１３】
つぎに、第４実施例のロープ止め具を説明する。
ロープ止め具４１は、上記止め具本体３２と同様な止め具本体４２の切欠部４２ａに穴４２ｂを穿設し、この穴４２ｂに蝶ネジによる支持軸４３にツバ４４ａ付円筒状の回転体４４を出入自在に設けてなるものである。
【００１４】
このロープ止め具４１は、回転体４４のツバ４４ａと切欠部４２ａにてロープＲｃを挟持し（穴４２ｂに回転体４４が入り込むことにより）、固定するものである。
【００１５】
上記各実施例において、各部位の材質は特に限定するものでなく、必要に応じて設定すればよい。
また、大きさも、ロープ等の径に合わせて設定すればよい。
さらに、支持軸や回転体の形態は、同様な機能を有するものであれば、他の形態のものでもよい。
【００１６】
【発明の効果】
１）、ロープ等を支持軸に係止することにより、緊張方向に緩むことなく使用することができると共に、ワンタッチで止め具本体を移動することができ、瞬時にロープ等を緩めることができる。
２）、特に、取り外し作業が迅速に行える。
３）、支持軸を、雄ネジ体とすることにより、安価に製作できると共に、雄ネジが案内溝となりスムーズに移動できる。
４）、支持軸に、回転体を設けることにより、よりスムーズに移動することができる。
５）、固定部を設けることにより、より強固にロープを固定することもできる。
６）、支持軸の軸心を係止孔あるいは挿通孔の軸心の上方あるいは下方にし、ロープを支持軸に係止した時、係止孔あるいは挿通孔とロープの軸心を水平近傍位置にすることにより、安定した使用ができる。
７）、支持軸の軸心と、係止孔あるいは挿通孔の軸心を平面垂直に形成することにより、止め具本体の移動がスムーズに行える。
【図面の簡単な説明】
【図１】本発明の第１実施例を示すロープ止め具の正面図。
【図２】本発明の第１実施例を示すロープ止め具の側面図。
【図３】本発明の第１実施例を示すロープ止め具のロープ取付状態の平面図。
【図４】本発明の第１実施例を示すロープ止め具のロープ取付状態の正面図。
【図５】本発明の第１実施例を示すロープ止め具の使用状態の一例の背面図。
【図６】本発明の第１実施例を示すロープ止め具の使用状態の二例の正面図。
【図７】本発明の第２実施例を示すロープ止め具の正面図。
【図８】本発明の第２実施例を示すロープ止め具の側面図。
【図９】本発明の第３実施例を示すロープ止め具の平面図。
【図１０】本発明の第３実施例を示すロープ止め具の側面図。
【図１１】本発明の第４実施例を示すロープ止め具の一部縦断側面図。
【符号の説明】
１−−−ロープ止め具
２−−−止め具本体
２ａ−−係止孔
２ｂ−−挿通孔
３−−−支持軸
４−−−回転体
Ｒ−−−ロープ
【図１】
2004132534.tif 000003
【図２】
2004132534.tif 000004
【図３】
2004132534.tif 000005
【図４】
2004132534.tif 000006
【図５】
2004132534.tif 000007
【図６】
2004132534.tif 000008
【図７】
2004132534.tif 000009
【図８】
2004132534.tif 000010
【図９】
2004132534.tif 000011
【図１０】
2004132534.tif 000012
【図１１】
2004132534.tif 000013